(57)【特許請求の範囲】
【請求項１】
透液性表面シートと不透液性裏面シートとの間に吸液性コアが介在し、縦方向に前後胴周り域とそれら胴周り域の間に位置する股下域とを備え、実質的に不透液性の防漏シートが、前記コアの両側縁近傍に取り付けられ、前記防漏シートが、前記股下域から前記前後胴周り域に向かって縦方向へ延びる固定側部と、前記表面シートの上方へ起立性向を有して縦方向へ延びる自由側部と、前記前後胴周り域に位置して横方向内方へ倒伏した固定前後端部とを有し、縦方向へ延びる伸縮性弾性部材が、前記防漏シートの自由側部に伸長状態で取り付けられた使い捨ておむつにおいて、
前記防漏シートの前記固定前後端部がそれぞれ前記前後胴周り域の胴周り端部に固着されており、
前記前後胴周り域を連結可能な帯状の第１連結シートが、前記後胴周り域の胴周り両側部から横方向外方へ延び、前記第１連結シートが、前記防漏シートの固定後端部近傍に位置する自由側部の前記コアに非対向の面に固着された固定内端部と、前記固定内端部から横方向外方へ延びる自由外端部とを有し、前記前胴周り域における裏面シートの外面に着脱可能な止着手段が、前記第１連結シートの自由外端部に形成されていることを特徴とする前記おむつ。
【請求項２】
前記第１連結シートの固定内端部が、前記防漏シートの固定後端部に固着されている請求項１記載のおむつ。
【請求項３】
前記第１連結シートに連結可能な帯状の第２連結シートが、前記前胴周り域の胴周り両側部から横方向外方へ延び、前記第２連結シートが、前記前胴周り域の胴周り両側部に位置する固定内端部と、前記固定内端部から横方向外方へ延びる自由外端部とを有し、前記第１連結シートの自由外端部に着脱可能な止着手段が、前記第２連結シートの自由外端部に形成されている請求項１または請求項２に記載のおむつ。
【請求項４】
前記第２連結シートの固定内端部が、前記防漏シートの固定前端部近傍に位置する自由側部に固着されている請求項３記載のおむつ。
【請求項５】
前記第２連結シートの固定内端部が、前記防漏シートの固定前端部に固着されている請求項３または請求項４に記載のおむつ。
【請求項６】
前記第１連結シートと前記第２連結シートとが、胴周り方向へ弾性的な伸縮性を有する請求項１ないし請求項５いずれかに記載のおむつ。
【発明の詳細な説明】
【０００１】
【発明の属する技術分野】
本発明は、排泄物を吸収、保持する使い捨ておむつに関する。
【０００２】
【従来の技術】
透液性表面シートと不透液性裏面シートとの間に吸液性コアが介在し、縦方向に前後胴周り域とそれら胴周り域の間に位置する股下域とを備え、縦方向へ延びる実質的に不透液性の防漏シートが、コアの両側縁の外側近傍に取り付けられた使い捨ておむつは公知である。
【０００３】
防漏シートは、コアの両側縁の外側に固着された固定側部と、表面シートの上方へ起立性向を有する自由側部と、おむつの横方向内方へ倒伏した状態で前後胴周り域に固着された固定前後端部とを有する。固定側部と自由側部とは、股下域から前後胴周り域に向かって縦方向へ延びている。防漏シートの自由側部には、縦方向へ延びる伸縮性弾性部材が伸長状態で取り付けられている。
【０００４】
そのようなおむつとしては、特開平８−２８９９０２号公報や特開平８−３２２８７６号公報、特開平８−３２２８７７号公報に開示されている。それら公報に開示のおむつは、オープン型のもので、前後胴周り域の胴周り両側部どうしを連結して着用する。それらおむつでは、おむつが表面シートを内側にして縦方向へ湾曲すると、弾性部材が収縮して防漏シートの自由側部が表面シートの上方へ起立する。それらおむつでは、起立した防漏シートの自由側部が排泄物に対する障壁を形成し、股下域からの排泄物の横漏れを防ぐことができる。
【０００５】
【発明が解決しようとする課題】
それら公報に開示のおむつでは、防漏シートの自由側部の起立が不十分であると、自由側部が排泄物に対する障壁として機能せず、排泄物が自由側部を乗り越えてしまう場合がある。それらおむつでは、防漏シートの固定前後端部が物品の横方向内方へ倒伏した状態で前後胴周り域に固着されているので、固定前後端部近傍に位置する自由側部が十分に起立することができず、固定前後端部近傍において排泄物の横漏れが生じ易い。それらおむつでは、防漏シートの固定前後端部近傍に位置する自由側部を表面シートの上方へ引き起こす手段がなく、そこに位置する自由側部を確実に起立させることができない。
【０００６】
本発明の課題は、防漏シートの固定前後端部近傍に位置する自由側部を確実に起立させることで、固定前後端部近傍における排泄物の横漏れを防ぐことができる使い捨ておむつを提供することにある。
【０００７】
【課題を解決するための手段】
前記課題を解決するための本発明の前提は、透液性表面シートと不透液性裏面シートとの間に吸液性コアが介在し、縦方向に前後胴周り域とそれら胴周り域の間に位置する股下域とを備え、実質的に不透液性の防漏シートが、前記コアの両側縁近傍に取り付けられ、前記防漏シートが、前記股下域から前記前後胴周り域に向かって縦方向へ延びる固定側部と、前記表面シートの上方へ起立性向を有して縦方向へ延びる自由側部と、前記前後胴周り域に位置して横方向内方へ倒伏した固定前後端部とを有し、縦方向へ延びる伸縮性弾性部材が、前記防漏シートの自由側部に伸長状態で取り付けられた使い捨ておむつである。
【０００８】
前記前提における本発明の特徴は、前記前後胴周り域を連結可能な帯状の第１連結シートが、前記後胴周り域の胴周り両側部から横方向外方へ延び、前記第１連結シートが、前記防漏シートの固定後端部近傍に位置する自由側部に固着された固定内端部と、前記固定内端部から横方向外方へ延びる自由外端部とを有し、前記前胴周り域における裏面シートの外面に着脱可能な止着手段が、前記第１連結シートの自由外端部に形成されていることにある。
【０００９】
本発明の実施の態様の一例としては、前記第１連結シートの固定内端部が、前記防漏シートの固定後端部に固着されている。
【００１０】
本発明の実施の態様の他の一例としては、前記防漏シートの前記固定前後端部がそれぞれ前記前後胴周り域の胴周り端部に固着されており、前記前後胴周り域を連結可能な帯状の第１連結シートが、前記後胴周り域の胴周り両側部から横方向外方へ延び、前記第１連結シートが、前記防漏シートの固定後端部近傍に位置する自由側部の前記コアに非対向の面に固着された固定内端部と、前記固定内端部から横方向外方へ延びる自由外端部とを有し、前記前胴周り域における裏面シートの外面に着脱可能な止着手段が、前記第１連結シートの自由外端部に形成されている。
【００１１】
本発明の実施の態様の他の一例としては、前記第２連結シートの固定内端部が、前記防漏シートの固定前端部近傍に位置する自由側部に固着されている。
【００１２】
本発明の実施の態様の他の一例としては、前記第２連結シートの固定内端部が、前記防漏シートの固定前端部に固着されている。
【００１３】
本発明の実施の態様の他の一例としては、前記第１連結シートと前記第２連結シートとが、胴周り方向へ弾性的な伸縮性を有する。
【００１４】
【発明の実施の形態】
添付の図面を参照し、本発明に係る使い捨ておむつの詳細を説明すると、以下のとおりである。
【００１５】
図１，２は、おむつ１Ａの部分破断平面図と、着用状態で示すおむつ１Ａの斜視図とであり、図３，４は、図１のＡ−Ａ線端面図と、図２のＢ−Ｂ線矢視断面図とである。図１では、横方向を矢印Ｘで示し、縦方向を矢印Ｙで示す。なお、表裏面シート２，３と防漏シート１３との内面とは、吸液性コア４に対向する面をいい、それらシート２，３，１３の外面とは、コア４に非対向の面をいう。
【００１６】
おむつ１Ａは、肌当接側に位置する透液性表面シート２と、肌非当接側に位置する不透液性裏面シート３と、それらシート２，３の間に介在し、それらシート２，３の少なくとも一方の内面に固着された吸液性コア４とを主要な構成部材とする。おむつ１Ａは、それら部材の他に、実質的に不透液性の防漏シート１３と、帯状の第１連結シート１６とを有する。
【００１７】
おむつ１Ａは、縦方向に前胴周り域５および後胴周り域７と、それら胴周り域５，７の間に位置する股下域６とを有する。前胴周り域５における裏面シート３の外面には、可撓性を有する矩形のターゲットテープ１４が取り付けられている。ターゲットテープ１４は、メカニカルファスナのうちのループ部材から形成されている。
【００１８】
おむつ１Ａは、前後胴周り域５，７を横方向へ延びる胴周り両端部８と、前後胴周り域５，７を縦方向へ延びる胴周り両側部９と、股下域６を縦方向へ延びる脚周り両側部１０とを有する。おむつ１Ａでは、脚周り両側部１０がおむつ１Ａの横方向内方へ向かって弧を画いており、その平面形状が実質的に砂時計型を呈する。胴周り両端部８には、横方向へ延びる帯状の胴周り用弾性部材１１が伸長状態で取り付けられている。脚周り両側部１０には、縦方向へ延びる複数条の脚周り用弾性部材１２が伸長状態で取り付けられている。
【００１９】
防漏シート１３は、胴周り両側部９と脚周り両側部１０とを縦方向へ延びている。防漏シート１３は、コア４の両側縁４ｂの外側に固着された固定側部１３ａと、表面シート２の上方へ起立性向を有する自由側部１３ｂと、前後胴周り域５，６の胴周り両端部８に固着された固定前後端部１３ｃ，１３ｄとを有する。固定側部１３ａと自由側部１３ｂとは、股下域６から前後胴周り域５，７に向かって縦方向へ延びている。固定前後端部１３ｃ，１３ｄは、おむつ１Ａの横方向内方へ倒伏している。自由側部１３ｂには、縦方向へ延びる伸縮性弾性部材１５が伸長状態で取り付けられている。弾性部材１５は、自由側部１３ｂの一部に被覆されている。
【００２０】
第１連結シート１６は、防漏シート１３の外側に位置して後胴周り域７の胴周り両側部９から横方向外方へ延びている。第１連結シート１６は、固定内端部１６ａと、固定内端部１６ａから横方向外方へ延びる自由外端部１６ｂとを有する。第１連結シート１６の固定内端部１６ａは、防漏シート１３の固定後端部１３ｄの外面と固定後端部１３ｄ近傍に位置する自由側部１３ｂの外面とに固着されている。第１連結シート１６の自由外端部１６ｂの端縁１６ｃ近傍には、メカニカルファスナのうちのフック部材１７（止着手段）が取り付けられている。
【００２１】
第１連結シート１６は、互いに重なり合う２枚の繊維不織布１８，１９から形成されている。第１連結シート１６には、横方向へ延びる伸縮性弾性部材２０が伸長状態で取り付けられている。弾性部材２０は、連結シート１６を形成する不織布１８，１９の間に介在し、それら不織布１８，１９に固着されている。フック部材１７は、不織布１８に固着されている。
【００２２】
このおむつ１Ａを着用するには、第１連結シート１６の自由外端部１６ｂを前胴周り域５の胴周り両側部９の外側に重ね合わせ、フック部材１７を介して自由外端部１６ｂをターゲットテープ１４に止着して前後胴周り域５，７を連結する。前後胴周り域５，７が連結されたおむつ１Ａには、図２に示すように、胴周り開口２１とその下方に一対の脚周り開口２２とが形成される。
【００２３】
おむつ１Ａでは、それが表面シート２を内側にして縦方向へ湾曲すると、弾性部材１５が縦方向へ収縮し、防漏シート１３の自由側部１３ｂが表面シート２の上方へ起立する。おむつ１Ａでは、起立した防漏シート１３の自由側部１３ｂが排泄物に対する障壁を形成し、股下域６からの排泄物の横漏れを防ぐことができる。
【００２４】
おむつ１Ａでは、それを着用したときに、第１連結シート１６が横方向外方へ引っ張られ、第１連結シート１６によって防漏シート１３の固定後端部１３ｄ近傍に位置する自由側部１３ｂが表面シート２の上方へ引き起こされる。おむつ１Ａでは、防漏シート１３の固定後端部１３ｄ近傍に位置する自由側部１３ｂを確実に起立させることができ、固定後端部１３ｄ近傍における排泄物の横漏れを防ぐことができる。
【００２５】
おむつ１Ａでは、防漏シート１３の固定後端部１３ｄ近傍に位置する自由側部１３ｂがおむつ１Ａの横方向内方へ倒伏しようとしても、そこに位置する自由側部１３ｂが第１連結シート１６によっておむつ１Ａの横方向外方へ引っ張られるので、自由側部１３ｂが横方向内方へ倒伏してしまうことはない。
【００２６】
おむつ１Ａでは、横方向外方へ引っ張られた第１連結シート１６によって、防漏シート１３の固定後端部１３ｄ近傍が着用者の肌に押し当てられ、固定後端部１３ｄ近傍が着用者の肌に密着する。また、このおむつ１Ａでは、第１連結シート１６に弾性部材２０が取り付けられているので、第１連結シート１６が横方向へ伸縮可能であり、おむつ１Ａを着用したときに、第１連結シート１６によって着用者の胴周りを締め付けることができ、おむつ１Ａが着用者の胴周りからずれ下がってしまうことを防ぐことができる。
【００２７】
胴周り両端部８では、表面シート２の端部２ａと裏面シート３の端部３ａとがコア４の両端縁４ａから縦方向外方へ延び、端部２ａ，３ａにおいてそれらシート２，３の内面どうしが固着されている。胴周り用弾性部材１１は、表面シート２の端部２ａと裏面シート３の端部３ａとの間に介在し、それらシート２，３の端部２ａ，３ａ内面に固着されている。防漏シート１３の固定前後端部１３ｃ，１３ｄは、表面シート２の端部２ａ外面に固着されている。
【００２８】
胴周り両側部９と脚周り両側部１０とでは、表面シート２の側部２ｂがコア４の両側縁４ｂから横方向外方へわずかに延び、側部２ｂからさらに横方向外方へ裏面シート３の側部３ｂと防漏シート１３の固定側部１３ａとが延びている。表面シート２の側部２ｂは、裏面シート３の側部３ｂと防漏シート１３の固定側部１３ａとの間に介在し、それら側部３ｂ，１３ａに固着されている。裏面シート３と防漏シート１３とは、側部３ｂ，１３ａにおいてそれらシート３，１３の内面どうしが固着されている。脚周り用弾性部材１２は、裏面シート３の側部３ｂと防漏シート１３の固定側部１３ａとの間に介在し、それらシート３，１３の側部３ｂ，１３ａ内面に固着されている。
【００２９】
図５，６は、他の実施の形態を示すおむつ１Ｂの部分破断平面図と、着用状態で示すおむつ１Ｂの斜視図とであり、図７，８は、図５のＣ−Ｃ線端面図と、図６のＤ−Ｄ線矢視断面図とである。図５では、横方向を矢印Ｘで示し、縦方向を矢印Ｙで示す。このおむつ１Ｂが図１のそれと異なる点は、第１連結シート１６の自由外端部１６ｂに連結可能な第２連結シート２３を有するとともに、前胴周り域５における裏面シート３の外面にターゲットテープ１４が取り付けられていないことにある。
【００３０】
第２連結シート２３は、防漏シート１３の外側に位置して前胴周り域５の胴周り両側部９から横方向外方へ延びている。第２連結シート２３は、横方向の長さ寸法が第１連結シート１６のそれよりも小さい。
【００３１】
第２連結シート２３は、固定内端部２３ａと、固定内端部２３ａから横方向外方へ延びる自由外端部２３ｂとを有する。第２連結シート２３の固定内端部２３ａは、防漏シート１３の固定前端部１３ｃの外面と固定前端部１３ｃ近傍に位置する自由側部１３ｂの外面とに固着されている。第２連結シート２３の自由外端部２３ｂの端縁２３ｃ近傍には、メカニカルファスナのうちのループ部材２４（止着手段）が取り付けられている。
【００３２】
第２連結シート２３は、互いに重なり合う２枚の繊維不織布２５，２６から形成されている。第２連結シート２３には、横方向へ延びる伸縮性弾性部材２７が伸長状態で取り付けられている。弾性部材２７は、連結シート２３を形成する不織布２５，２６の間に介在し、それら不織布２５，２６に固着されている。ループ部材２４は、不織布２６に固着されている。
【００３３】
このおむつ１Ｂを着用するには、第１連結シート１６の自由外端部１６ｂを第２連結シート２３の自由外端部２３ｂの外側に重ね合わせ、フック部材１７とループ部材２４とを係合させてそれら連結シート１６，２３の自由外端部１６ｂ，２３ｂどうしを連結する。それら連結シート１６，２３が連結されたおむつ１Ｂには、図６に示すように、胴周り開口２１とその下方に一対の脚周り開口２２とが形成される。
【００３４】
このおむつ１Ｂでは、それを着用したときに、それら連結シート１６，２３が横方向外方へ引っ張られ、それら連結シート１６，２３によって防漏シート１３の固定前後端部１３ｃ，１３ｄ近傍に位置する自由側部１３ｂが表面シート２の上方へ引き起こされる。おむつ１Ｂでは、防漏シート１３の固定前後端部１３ｃ，１３ｄ近傍に位置する自由側部１３ｂを確実に起立させることができ、固定前端部１３ｃ近傍からの排泄物の横漏れを防ぐことができるとともに、固定後端部１３ｄ近傍からの排泄物の横漏れを防ぐことができる。
【００３５】
おむつ１Ｂでは、防漏シート１３の固定前後端部１３ｃ，１３ｄ近傍に位置する自由側部１３ｂがおむつ１Ｂの横方向内方へ倒伏しようとしても、そこに位置する自由側部１３ｂがそれら連結シート１６，２３によっておむつ１Ｂの横方向外方へ引っ張られるので、自由側部１３ｂが横方向内方へ倒伏してしまうことはない。
【００３６】
おむつ１Ｂでは、横方向外方へ引っ張られたそれら連結シート１６，２３によって、防漏シート１３の固定前後端部１３ｃ，１３ｄ近傍が着用者の肌に押し当てられ、固定前後端部１３ｃ，１３ｄ近傍が着用者の肌に密着する。また、このおむつ１Ｂでは、第１および第２連結シート１６，２３に弾性部材２０，２７が取り付けられているので、それら連結シート１６，２３が横方向へ伸縮可能であり、おむつ１Ｂを着用したときに、それら連結シート１６，２３によって着用者の胴周りを締め付けることができ、おむつ１Ｂが着用者の胴周りからずれ下がってしまうことを防ぐことができる。
【００３７】
図５のおむつ１Ｂでは、それを着用するときに、前胴周り域５を着用者の腹部の側に位置させるとともに、後胴周り域７を着用者の臀部の側に位置させるが、前胴周り域５を着用者の臀部の側に位置させるとともに、後胴周り域７を着用者の腹部の側に位置させることもできる。また、図５のおむつ１Ｂでは、第２連結シート２３の固定内端部２３ａが防漏シート１３の固定前端部１３ｃと固定前端部１３ｃ近傍に位置する自由側部１３ｂとに固着されることなく、前胴周り域５の胴周り両側部９に固着されていてもよい。
【００３８】
それら図示のおむつ１Ａ，１Ｂでは、第１および第２連結シート１６，２３に弾性部材２０，２７が取り付けられていなくてもよい。また、それら図示のおむつ１Ａ，１Ｂでは、第１および第２連結シート１６，２３が縦方向と胴周り方向とヘ弾性的な伸縮性を有する繊維不織布から形成されていてもよい。
【００３９】
表面シート２には、親水性繊維不織布、多数の開孔を有する疎水性繊維不織布、微細な多数の開孔を有するプラスチックフィルムのいずれかを使用することができる。裏面シート３や防漏シート１３には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。第１および第２連結シート１６，２３を形成する不織布１８，１９，２５，２６には、親水性繊維不織布と疎水性繊維不織布とのいずれかを使用することができる。
【００４０】
裏面シート３や防漏シート１３、第１および第２連結シート１６，２３には、高い耐水性を有するメルトブローン法による繊維不織布を、高い強度を有し、かつ、柔軟性に富んだスパンボンド法による繊維不織布で挟んだ複合不織布を使用することもできる。
【００４１】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４２】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４３】
表裏面シート２，３の固着や防漏シート１３の固着、第１および第２連結シート１６，２３の固着、コア４の固着、弾性部材１１，１２，１５，２０，２７の固着には、ホットメルト型接着剤、または、ヒートシールやソニックシール等の熱による溶着手段を利用することができる。
【００４４】
【発明の効果】
本発明に係る使い捨ておむつによれば、第１連結シートによって防漏シートの固定後端部近傍に位置する自由側部が表面シートの上方へ引き起こされるので、そこに位置する自由側部を確実に起立させることができ、防漏シートの固定後端部近傍からの排泄物の横漏れを防ぐことができる。このおむつでは、防漏シートの固定後端部近傍に位置する自由側部がおむつの横方向内方へ倒伏しようとしても、そこに位置する自由側部が第１連結シートによっておむつの横方向外方へ引っ張られるので、自由側部が横方向内方へ倒伏してしまうことはない。
【００４５】
第１連結シートに連結可能な第２連結シートが前胴周り域の胴周り両側部から横方向外方へ延びるおむつでは、第１および第２連結シートによって防漏シートの固定前後端部近傍に位置する自由側部が表面シートの上方へ引き起こされるので、そこに位置する自由側部を確実に起立させることができる。このおむつでは、後胴周り域の固定後端部近傍からの排泄物の横漏れを防ぐことができるとともに、前胴周り域の固定前端部近傍からの排泄物の横漏れを防ぐことができる。また、このおむつでは、防漏シートの固定前後端部近傍に位置する自由側部がおむつの横方向内方へ倒伏しようとしても、そこに位置する自由側部がそれら連結シートによっておむつの横方向外方へ引っ張られるので、自由側部が横方向内方へ倒伏してしまうことはない。
【図面の簡単な説明】
【図１】おむつの部分破断平面図。
【図２】着用状態で示すおむつの斜視図。
【図３】図１のＡ−Ａ線端面図。
【図４】図２のＢ−Ｂ線矢視断面図。
【図５】他の実施の形態を示すおむつの部分破断平面図。
【図６】着用状態で示すおむつの斜視図。
【図７】図５のＣ−Ｃ線端面図。
【図８】図６のＤ−Ｄ線矢視断面図。
【符号の説明】
１Ａ，１Ｂ    使い捨ておむつ
２            透液性表面シート
３            不透液性裏面シート
４            吸液性コア
４ｂ          両側縁
５            前胴周り域
６            股下域
７            後胴周り域
９            胴周り両側部
１３            防漏シート
１３ａ          固定側部
１３ｂ          自由側部
１３ｃ          固定前端部
１３ｄ          固定後端部
１５            伸縮性弾性部材
１６            第１連結シート
１６ａ          固定内端部
１６ｂ          自由外端部
１７            フック部材（止着手段）
２３            第２連結シート
２３ａ          固定内端部
２３ｂ          自由外端部
２４            ループ部材（止着手段）
【図１】
0004024507.tif 000002
【図２】
0004024507.tif 000003
【図３】
0004024507.tif 000004
【図４】
0004024507.tif 000005
【図５】
0004024507.tif 000006
【図６】
0004024507.tif 000007
【図７】
0004024507.tif 000008
【図８】
0004024507.tif 000009